(57)【要約】【課題】自装置と、一つ以上の情報端末装置とで協調してコンテンツを再生している場合であっても、ユーザに着信を確実に認識させる。【解決手段】コンテンツ再生装置（１）は、電話機能を有する装置の着信を検出する着信検出部（２１０）と、コンテンツの協調再生中に着信が検出されると、着信割込を報知するための処理を自装置および上記一つ以上の情報端末装置のうち、少なくとも一つの装置に実行させる実行する着信割込処理部（２２０）と、を備える。【選択図】図１
2017118382.tif 000002
【特許請求の範囲】
【請求項１】
コンテンツを再生可能な一つ以上の情報端末装置と協調して、上記コンテンツを再生するコンテンツ再生装置であって、
自装置および上記一つ以上の情報端末装置のうち、少なくとも一つの装置が電話機能を有する場合に、当該電話機能を有する装置の着信を検出する着信検出部と、
上記一つ以上の情報端末装置と協調してコンテンツを再生しているときに、上記着信検出部により着信が検出されると、当該再生中のコンテンツの再生処理に割り込んで着信していることを報知するための処理を、自装置および上記一つ以上の情報端末装置のうち、少なくとも一つの装置に実行させる着信割込処理部と、
を備えていることを特徴とするコンテンツ再生装置。
【請求項２】
上記着信割込処理部は、
自装置が上記一つ以上の情報端末装置と協調してコンテンツを再生しているときに、上記着信検出部により着信が検出されると、自装置および上記一つ以上の情報端末装置のうち、少なくとも一つの装置において再生中のコンテンツの音量を予め設定した音量以下に下げることを特徴とする請求項１に記載のコンテンツ再生装置。
【請求項３】
上記着信割込処理部は、
自装置が上記一つ以上の情報端末装置と協調してコンテンツを再生しているときに、上記着信検出部により着信が検出されると、自装置および上記一つ以上の情報端末装置のうち、少なくとも一つの装置において再生中のコンテンツを一時停止することを特徴とする請求項１に記載のコンテンツ再生装置。
【請求項４】
上記着信割込処理部は、
自装置が上記一つ以上の情報端末装置と協調してコンテンツを再生しているときに、上記着信検出部により着信が検出されると、再生中のコンテンツが中断不可のコンテンツであれば、自装置および上記一つ以上の情報端末装置のうち、少なくとも一つの装置において再生中のコンテンツの音量を予め設定した音量以下に下げ、再生中のコンテンツが中断可能なコンテンツであれば、自装置および上記一つ以上の情報端末装置のうち、少なくとも一つの装置において再生中のコンテンツを一時停止することを特徴とする請求項１に記載のコンテンツ再生装置。
【請求項５】
コンテンツを再生可能な一つ以上の情報端末装置と協調して、上記コンテンツを再生するコンテンツ再生装置の制御方法であって、
コンテンツ再生装置および上記一つ以上の情報端末装置のうち、少なくとも一つの装置が電話機能を有する場合に、当該電話機能を有する装置の着信を検出する着信検出ステップと、
上記コンテンツ再生装置と上記一つ以上の情報端末装置とが協調してコンテンツを再生しているときに、上記着信検出ステップにおいて着信が検出されると、当該再生中のコンテンツの再生処理に割り込んで着信していることを報知するための処理を、上記コンテンツ再生装置および上記一つ以上の情報端末装置のうち、少なくとも一つの装置に実行させる着信割込処理ステップと、を含むことを特徴とするコンテンツ再生装置の制御方法。
【請求項６】
請求項１に記載のコンテンツ再生装置としてコンピュータを機能させるための制御プログラムであって、上記着信検出部および上記着信割込処理部としてコンピュータを機能させるための制御プログラム。
【発明の詳細な説明】
【技術分野】
【０００１】
本発明は、コンテンツを再生可能な一つ以上の情報端末装置と協調して、上記コンテンツを再生するコンテンツ再生装置、コンテンツ再生装置の制御方法、および制御プログラムに関する。
【背景技術】
【０００２】
近年、一つ以上の情報端末装置が協調してコンテンツを再生する技術が、例えば特許文献１に開示されている。
【先行技術文献】
【特許文献】
【０００３】
【特許文献１】特開２０１０−２６２１５号公報（２０１０年２月４日公開）
【発明の概要】
【発明が解決しようとする課題】
【０００４】
しかしながら、上述のような従来技術では、コンテンツの再生に用いられる情報端末得装置のなかに電話機能を有する装置が含まれていて、コンテンツ再生中に着信があった場合、再生しているコンテンツの音量によっては着信音が聞き取りにくい場合がある。このように着信音が聞き取りにくい場合、電話にでることができないという問題が生じる。
【０００５】
また、再生しているコンテンツの内容によっては、マナーモードに設定している場合に、着信を示すバイブレーションに気づきにくいこともある。このような場合にも、電話にでることができないという問題が生じる。
【０００６】
本発明は、前記の問題点に鑑みてなされたものであり、その目的は、自装置と、一つ以上の情報端末装置とで協調してコンテンツを再生している場合であっても、自装置および上記一つ以上の情報処理端末のいずれかに対する着信をユーザに確実に認識させることのできるコンテンツ再生装置等を実現することにある。
【課題を解決するための手段】
【０００７】
上記の課題を解決するために、本発明の一態様に係るコンテンツ再生装置は、コンテンツを再生可能な一つ以上の情報端末装置と協調して、上記コンテンツを再生するコンテンツ再生装置であって、自装置および上記一つ以上の情報端末装置のうち、少なくとも一つの装置が電話機能を有する場合に、当該電話機能を有する装置の着信を検出する着信検出部と、上記一つ以上の情報端末装置と協調してコンテンツを再生しているときに、上記着信検出部により着信が検出されると、当該再生中のコンテンツの再生処理に割り込んで着信していることを報知するための処理を、自装置および上記一つ以上の情報端末装置のうち、少なくとも一つの装置に実行させる着信割込処理部と、を備えることを特徴としている。
【０００８】
また、本発明の一態様に係るコンテンツ再生装置の制御方法は、コンテンツを再生可能な一つ以上の情報端末装置と協調して、上記コンテンツを再生するコンテンツ再生装置の制御方法であって、コンテンツ再生装置および上記一つ以上の情報端末装置のうち、少なくとも一つの装置が電話機能を有する場合に、当該電話機能を有する装置の着信を検出する着信検出ステップと、上記コンテンツ再生装置と上記一つ以上の情報端末装置とが協調してコンテンツを再生しているときに、上記着信検出ステップにおいて着信が検出されると、当該再生中のコンテンツの再生処理に割り込んで着信していることを報知するための処理を、上記コンテンツ再生装置および上記一つ以上の情報端末装置のうち、少なくとも一つの装置に実行させる着信割込処理ステップと、を含むことを特徴としている。
【発明の効果】
【０００９】
本発明の一態様によれば、自装置と、一つ以上の情報端末装置とで協調してコンテンツを再生している場合であっても、ユーザに着信を確実に認識させることができるという効果を奏する。
【図面の簡単な説明】
【００１０】
【図１】本発明の実施形態１に係るコンテンツ再生装置の概略ブロック図である。
【図２】本発明の実施形態１に係る着信割込処理の概要を示す図である。
【図３】図２におけるコンテンツ再生装置における処理の流れの一例を示すフローチャートである。
【図４】本発明の実施形態２に係る着信割込処理の概要を示す図である。
【図５】図４に示すコンテンツ再生装置の処理の流れの一例を示すフローチャートである。
【図６】図４に示すコンテンツ再生装置の処理の流れの他の例を示すフローチャートである。
【図７】一般的な着信割込処理の概要を示し、（ａ）は着信前、（ｂ）は着信時のコンテンツの表示例を示す図である。
【図８】本発明の実施形態３に係る着信割込処理の一例の概要を示す図である。
【図９】本発明の実施形態３に係る着信割込処理の他の例の概要を示す図である。
【図１０】本発明の実施形態３に係る着信割込処理のさらに他の概要を示す図である。
【図１１】本発明の実施形態３に係るコンテンツ再生装置の処理の流れを示すフローチャートである。
【発明を実施するための形態】
【００１１】
〔実施形態１〕
以下、本発明の第１の実施形態について説明する。まず、本実施形態に係るコンテンツ再生装置について図１を用いて説明する。図１は、コンテンツ再生装置１の概略ブロック図である。
【００１２】
（コンテンツ再生装置）
コンテンツ再生装置１は、コンテンツを再生可能な装置であって電話機能を有している装置である。ここで、コンテンツとは、コンテンツ再生装置１に備えられたいずれかの出力デバイスから出力される情報であり、例えばコンテンツ再生装置１のディスプレイに表示される画像（静止画または動画）、スピーカから出力される音声、コンテンツ再生装置１の照明の明滅、ならびにバイブレーションの駆動および停止などを１つ以上組み合わせたものである。以降、上記コンテンツのデータ（つまり、音声データや画像データ、照明やバイブレーションの駆動指示を示す情報など）をまとめて、コンテンツデータと称する。また、上記コンテンツデータをコンテンツ再生装置１の各種出力デバイスから出力することを、「コンテンツを再生する」と称する。
【００１３】
またコンテンツ再生装置１は、自装置と、コンテンツを再生可能な一つ以上の情報端末装置とで協調して、上記コンテンツを再生することが可能な装置である。以降、コンテンツ再生装置１と、上記一つ以上の情報端末装置とで協調してコンテンツを再生することを、「コンテンツを協調再生する」と称する。コンテンツ再生装置１は換言すると、コンテンツを協調再生する際に、自装置とともに協調再生を行う情報端末装置の協調再生を制御する制御用端末であるともいえる。なお、コンテンツを協調再生する場合、電話機能はコンテンツ再生装置１ではなく、協調再生を行う情報端末装置のいずれかに備えられていてもよい。より詳しくは、電話機能は、コンテンツ再生装置１およびコンテンツ再生装置１と協調再生を行う情報端末装置のうち、少なくとも１台の装置に備えられていればよい。コンテンツ再生装置１は、図示の通り、通話用アンテナ１０と、放送用アンテナ１１と、通信用アンテナ１２と、通信処理部２０と、チューナ部２１と、端末間通信処理部２２と、入力装置３０と、記憶装置４０と、データ処理部１００と、コンテンツ再生処理部２００と、端末情報取得部５０と、設定情報記録部４１と、音声処理部６０と、スピーカ７０と、映像処理部８０と、データ放送処理部８１と、番組情報表示処理部８２と、提示処理部８３と、ディスプレイ９０とを備えている。
【００１４】
通話用アンテナ１０は、コンテンツ再生装置１の電話機能において、通話のための各種信号を送受信するアンテナである。上記信号とは例えば、通話の呼出信号、応答信号、終了信号、および切断信号、ならびに通話中の音声信号などである。なお以降、通話用アンテナ１０が他の装置からの通話の呼出信号を受信することを「着信」と称する。
【００１５】
通信処理部２０は、通話用アンテナ１０における、上述した通話のための各種信号の送受信を制御する。通信処理部２０は通話用アンテナ１０が受信した信号（着信したときの呼出信号など）を取得し、データ処理部１００へと送信する。また通信処理部２０はデータ処理部１００から受信した信号（通話中の音声信号など）を通話用アンテナ１０に送信させる。
【００１６】
放送用アンテナ１１は放送波を受信するアンテナである。チューナ部２１は、放送用アンテナ１１が受信した放送波から、映像データ、音声データ、データ放送用データ、および番組情報をコンテンツデータとして取り出し、それぞれをデータ処理部１００へ出力する。
【００１７】
通信用アンテナ１２は、コンテンツ再生装置１が他の情報端末装置と通信を行う際に使用するアンテナである。端末間通信処理部２２は他の情報端末装置との通信を制御する。
【００１８】
コンテンツの協調再生を行う際、端末間通信処理部２２はコンテンツ再生処理部２００から受信したコンテンツデータおよび当該コンテンツデータの出力設定を示す情報を、通信用アンテナ１２を介し他の情報端末装置に送信する。また、他の情報端末装置において着信があった場合、端末間通信処理部２２は通信用アンテナ１２を介し、着信のあった情報端末装置から当該着信があったことを示す情報を受信し、当該情報をコンテンツ再生処理部２００に送信する。
【００１９】
入力装置３０は、ユーザの各種入力操作を受付ける。より具体的には、入力装置３０は着信した電話を受けるためのユーザの入力操作を受付ける。また、入力装置３０は通話の終了を指示するユーザの入力操作を受付ける。なお、入力装置３０は、ディスプレイ９０と一体に構成されたタッチパネルとして実現してもよい。
【００２０】
記憶装置４０は、コンテンツ再生装置１における各種データを格納する記憶装置である。具体的には、記憶装置４０はコンテンツ再生装置１（または複数の情報端末装置）が出力するコンテンツデータを格納している。記憶装置４０に格納されているコンテンツデータはデータ処理部１００により読み出され、データ処理部１００の制御のもとスピーカ７０およびディスプレイ９０の少なくとも一方を用いて出力される。設定情報記録部４１は、再生中のコンテンツに係る情報（再生中のコンテンツデータ、当該データ中の再生箇所、再生に係る各種出力設定など）を記録する。なお、図１では設定情報記録部４１は記憶装置４０と別個の記憶装置としたが、記憶装置４０と設定情報記録部４１とは１つの記憶装置であってもよい。
【００２１】
（コンテンツ再生処理部）
データ処理部１００は通話に係る入出力と、コンテンツデータの出力を統括的に制御するものである。データ処理部１００は、通話用アンテナ１０および通信処理部２０を介し通話に係る信号（着信時の呼出信号など）を受信し、当該信号の種類に応じて各種入出力デバイス（スピーカ７０およびマイク（図示せず））を制御する。
【００２２】
また、データ処理部１００は、記憶装置４０またはチューナ部２１からコンテンツデータを取得し、当該コンテンツデータのうち音声データは音声処理部６０に、画像データは映像処理部８０に送る。なお、コンテンツデータがデジタル放送波を復調したデータである場合、コンテンツデータは画像（映像）データと、データ放送データと、番組情報とを含む。この場合、データ処理部１００は画像データを映像処理部８０に送るとともに、データ放送データはデータ放送処理部８１に、番組情報は番組情報表示処理部８２へと送る。また、データ処理部１００は、コンテンツデータの少なくとも一つの要素の出力に係る出力設定を規定する。具体的には、出力設定とは例えば音声データ出力時の音量、音質、または音響効果の設定や、画像データ出力時の画質、表示サイズ、画面の明るさの設定、画像データとデータ放送データと番組情報それぞれの大きさおよび位置関係などである。
【００２３】
端末情報取得部５０は、コンテンツ再生装置１の端末情報を取得し、コンテンツ再生処理部２００へ送信する。ここで、端末情報とは、ディスプレイ９０のサイズおよび解像度など、各種出力デバイスについての情報を示す。もしくは、端末情報とは、データ処理部１００が規定する出力設定（ディスプレイ９０の表示面の明るさ、およびスピーカ７０からの出力音量など）を含んでいてもよい。
【００２４】
コンテンツ再生処理部２００は、コンテンツ再生装置１と、一つ以上の情報端末装置との協調再生に係る処理を行う。具体的には、コンテンツ再生処理部２００は、通信用アンテナ１２および端末間通信処理部２２を介し情報端末装置の端末情報を取得するとともに、端末情報取得部５０から自装置の端末情報を取得する。そして、コンテンツ再生処理部２００は、取得した自装置および情報端末装置の端末情報と、データ処理部１００が再生させるコンテンツデータおよび出力設定に基づいて、自装置および各情報端末装置における出力の分担を決定し、端末間通信処理部２２および通信用アンテナ１２を介し各情報端末装置に送信する。これにより、コンテンツの協調再生が実現する。
【００２５】
また、コンテンツ再生処理部２００は、コンテンツデータの出力中（コンテンツの再生中）に着信があった場合、すなわち着信割込があった場合にユーザに着信を報知するための処理を、割込みで（再生中のコンテンツの再生処理に割り込んで）実行する（着信割込処理）ため、着信検出部２１０および着信割込処理部２２０を含む。なお、着信割込処理の詳細については後述する。
【００２６】
着信検出部２１０は、コンテンツ再生装置１、またはコンテンツ再生装置１とコンテンツの協調再生を行っている情報端末装置における着信を検出するものである。着信検出部２１０は、通信用アンテナ１２および端末間通信処理部２２を介し、自装置と協調再生を行っている情報端末装置における着信を示す情報を受信することにより、当該情報端末装置における着信を検出する。また、着信検出部２１０はデータ処理部１００が通話用アンテナ１０および放送用アンテナ１１を介し、着信に係る信号を受信したことを検出することにより、自装置（コンテンツ再生装置１）における着信を検出する。また、着信検出部２１０は、コンテンツ再生装置１、またはコンテンツ再生装置１と協調再生を行う情報端末装置における、着信への応答（電話を受けた旨）および通話の終了も検出する。着信検出部２１０は、着信、着信への応答、および通話の終了を検出した場合、着信割込処理部２２０に当該検出を伝える。
【００２７】
着信割込処理部２２０は、コンテンツの協調再生中に着信検出部２１０により着信が検出された場合に、ユーザに着信を報知するための処理を、割込みで（協調再生中のコンテンツの再生処理に割り込んで）実行するものである。着信割込処理部２２０は、着信検出部２１０が着信を検出した場合で、かつ、コンテンツ再生装置１がコンテンツの協調再生中（コンテンツ再生処理部２００が協調再生に係る制御を行っている）である場合、着信割込であると検知する。着信割込処理部２２０は着信割込を検知した場合、着信割込処理を行う。また、着信割込処理部２２０は着信割込処理を行う場合、再生中のコンテンツに係る情報を設定情報記録部４１に記憶させる。また、着信割込処理部２２０は、コンテンツ再生装置１またはコンテンツ再生装置１と協調再生を行っている情報端末装置における通話の終了を検知すると、上述した着信割込処理を終了し、上記通話が終了した情報端末装置を含めてコンテンツの協調再生を再構成する。
【００２８】
音声処理部６０は、データ処理部１００から受信した音声データを、データ処理部１００が規定した出力設定でスピーカ７０に出力させる。スピーカ７０は、音声処理部６０の制御に従って音声データを出力する。
【００２９】
映像処理部８０は、データ処理部１００から受信した画像データにデータ処理部１００が規定した出力設定を適用させ、提示処理部８３に送る。データ放送処理部８１は、データ処理部１００から受信したデータ放送データに、データ処理部１００が規定した出力設定を適用させ、提示処理部８３に送る。番組情報表示処理部８２は、データ処理部１００から受信した番組情報をコンテンツ再生装置１にて予め定められた様式（例えば電子番組表や番組リストなど）の番組表示データに加工し、当該番組表示データを提示処理部８３に送る。なおこのとき、番組情報表示処理部８２は上記番組表示データに、データ処理部１００が規定した出力設定を適用させる。提示処理部８３は、少なくとも映像処理部８０から受信した画像データを映像信号に変換しディスプレイ９０に出力させる。なお、提示処理部８３は、データ放送処理部８１および番組情報表示処理部８２の少なくとも一方から入力されるデータ（データ放送データ、番組表示データ）と、画像データとをデータ処理部１００の規定した出力設定に従って配置し、１つの映像信号に変換してディスプレイ９０に出力させてもよい。ディスプレイ９０は提示処理部８３の制御に従って上記映像信号を出力する。
【００３０】
（着信割込処理の流れ）
次に、本実施形態に係るコンテンツ再生装置１における着信割込処理について、図２および図３を用いて説明する。図２は、本実施形態に係る着信割込処理の概要を示す図である。また、図３は、図２におけるコンテンツ再生装置１における処理の流れを示すフローチャートである。なお図２および図３では、コンテンツ再生装置１である端末Ａと、コンテンツ再生装置１とともに協調再生を行う情報端末装置である端末Ｂとを用いて、音声付きの動画（コンテンツ）を協調再生する場合を例にとり説明する。
【００３１】
端末ＡおよびＢにおいてコンテンツの協調再生が開始されると、端末ＡおよびＢのディスプレイ９０（ディスプレイ９０Ａおよび９０Ｂ）は、図２に示すように、２つのディスプレイ９０が１つのディスプレイであるかのように、上記動画を分担して表示する。また、端末ＡおよびＢの少なくとも一方のスピーカ７０は音声を出力する。
【００３２】
ここで、端末Ａに対し電話がかかってきたとする。この場合、当該電話の呼出信号は端末Ａの通話用アンテナ１０および通信処理部２０を経てデータ処理部１００に受信される。端末Ａの着信検出部２１０は当該受信を検出することで着信を検出する（着信検出ステップ）。着信検出部２１０が着信を検出した場合、着信割込処理部２２０は端末Ａ（コンテンツ再生装置１）がコンテンツの協調再生中であるか否かを判定し、協調再生中である場合、端末Ａに着信割込があったと検知する（図３のＳ１０１）。着信割込を検知した場合、着信割込処理部２２０は以下で説明する着信割込処理（図３のＳ１０２〜Ｓ１０４、着信割込処理ステップ）を行う。なお、図２に示す端末Ｂに電話がかかってきた場合、着信検出部２１０は端末Ｂにおける着信を示す情報を受信することで着信を検出すればよい。
【００３３】
着信割込を検知すると、着信割込処理部２２０は着信があった装置（図２の場合は端末Ａ）に着信画面を表示させる（図３のＳ１０２）。図２の例では、着信割込処理部２２０は自装置（コンテンツ再生装置１）のデータ処理部１００に、着信画面を表示するよう指示する。着信画面とは、ユーザに着信を報知する文字またはアイコン等の画像を含む画面である。なお着信割込処理部２２０は、着信画面とともに着信があった装置のバイブレーション等を駆動するよう指示してもよい。なお、端末Ｂに着信があった場合、着信割込処理部２２０は上述した着信画面の画像データ、または着信画面を表示する旨の指示を、端末間通信処理部２２および通信用アンテナ１２を介し端末Ｂに送信することで、端末Ｂに着信画面を表示させればよい。
【００３４】
次に、着信割込処理部２２０は着信があった装置を除いた端末を用いて、コンテンツの再生を再構成する（図３のＳ１０３）。図２の場合、電話がかかってきていない端末Ｂのみでコンテンツを再生するよう協調再生を再構成する。また、着信割込処理部２２０は、再構成後のコンテンツの協調再生において音声出力を行っている装置について、コンテンツ再生の音量を下げる（図３のＳ１０４）。なお、音量を下げるだけでなく０にしても（ミュートしても）よい。
【００３５】
ここで、ユーザが着信に応答した（電話を受けた）場合（図３のＳ１０５でＹＥＳ）、着信割込処理部２２０はコンテンツの再生を一時停止させる（図３のＳ１０７）。具体的には、着信割込処理部２２０はデータ処理部１００にコンテンツの出力を一時停止するよう指示し、データ処理部１００が音声処理部６０および映像処理部８０（ならびにデータ放送処理部８１および番組情報表示処理部８２）の出力を停止するよう制御する。
【００３６】
その後、着信検出部２１０が着信に応答した装置（図２では端末Ａ）における通話終了を検知すると（Ｓ１０８）、着信割込処理部２２０は、設定情報記録部４１から再生中のコンテンツに係る情報を読み出し、当該情報に基づいて、通話の終了した装置（図２の場合は端末Ａ）を再び含めてコンテンツの協調再生を再構成するとともに、コンテンツ再生装置１および各情報端末装置におけるコンテンツの再生音量を、着信前の状態に戻す（図３のＳ１０９）。なお、ユーザが着信応答せずに（図３のＳ１０５でＮＯ）着信拒否した場合（図３のＳ１０６でＹＥＳ）、図３のＳ１０７およびＳ１０８の処理は行わず、Ｓ１０９の処理を行えばよい。最後に、着信割込処理部２２０は図３のＳ１０７の処理を行っていた場合は、コンテンツ再生装置１および各情報端末装置にコンテンツの再生を再開させる（Ｓ１１０）。
【００３７】
（効果）
図３に示した処理によると、着信割込処理部２２０は、コンテンツの協調再生中であっても、いずれかの装置に着信があれば、再生中のコンテンツの再生処理に割り込んで、着信を報知する。これにより、コンテンツの協調再生中であっても、ユーザに着信を確実に認識させることができるため、ユーザは確実に電話に出ることができるという効果を奏する。また、図３に示した処理によると、コンテンツの協調再生中に着信があった場合、再生中のコンテンツの音量が下げられるため、着信音や通話音が聞こえやすくなる。したがって、ユーザは着信音をより確実に聞き取ることができる。また、音量を自動的に調整するため、ユーザがわざわざ音量調整をする手間を省くことができる。
【００３８】
また、図３に示した処理によると、着信後にユーザが当該着信に応答した（電話を受けた）場合、再構成されて再生されていたコンテンツの再生が一時停止する。これにより、コンテンツ再生に伴う音声出力がユーザの通話を妨げることを防ぐことができる。さらに、図３に示した処理によると、通話が終了した場合は、当該通話が終了した装置を加えて、コンテンツの協調再生がもう一度再構成される。これにより、通話が終了すると、当該通話に使用した装置を加えてコンテンツの協調再生を再開することができる。
【００３９】
〔実施形態２〕
本発明の第２の実施形態について、図４〜図６に基づいて説明すれば、以下のとおりである。なお、説明の便宜上、前記実施形態にて説明した部材と同じ機能を有する部材については、同じ符号を付記し、その説明を省略する。
【００４０】
（着信割込処理の概要説明）
本発明に係るコンテンツ再生装置１の着信割込処理部２２０は、コンテンツの協調再生中に着信検出部２１０により着信が検出された場合、再生中のコンテンツが中断不可のコンテンツであれば、協調再生中の装置の少なくとも一つにおいて再生中のコンテンツの音量を予め設定した音量以下に下げ、再生中のコンテンツが中断可能なコンテンツであれば、協調再生中の装置の少なくとも一つにおいて再生中のコンテンツを一時停止してもよい。なお、「中断可能なコンテンツ」とは、例えば記憶装置４０に記憶されているコンテンツや、動画サイト等におけるストリーミング再生で再生されるコンテンツ等である。一方「中断不可能なコンテンツ」とは例えば、テレビやラジオなど、放送波を受信することにより再生可能なリアルタイムのコンテンツである。なお、ここで言う「中断」とは、コンテンツの一時停止（再生を再開した場合、コンテンツが一時停止した箇所から再生される）であっても、完全な再生の停止（再生を再開した場合、コンテンツの始めから再生される）であってもよい。
【００４１】
図４は、本実施形態に係る着信割込処理の概要を示す図である。なお図４も図２と同様に、コンテンツ再生装置１である端末Ａと、情報端末装置である端末Ｂとを用いて、コンテンツとして音声付きの動画を協調再生する場合を例にとり説明する。
【００４２】
端末ＡおよびＢにおけるコンテンツの協調再生中に端末Ａに対し電話がかかってくると、端末Ａの着信検出部２１０は当該着信を検出し、着信割込処理部２２０は端末Ａがコンテンツの協調再生中であるので、端末Ａに着信割込があったと検知する。そして、着信割込処理部２２０は端末Ａに着信画面を表示させるとともに、端末Ａを除いてコンテンツの協調再生を再構成する。また、着信割込処理部２２０は、端末Ｂのスピーカの音量を下げるよう端末Ｂに指示する。ここで、ユーザが着信応答すると、着信割込処理部２２０は協調再生中のコンテンツが中断可能なコンテンツか否かを確認する。中断可能なコンテンツの場合、着信割込処理部２２０はコンテンツの再生を一時停止させる。一方、中断不可能なコンテンツの場合は、コンテンツの再生は再構成後の端末群（図４の場合は端末Ｂ）で継続するが、コンテンツを再生している端末のスピーカの音量をミュートする。
【００４３】
（着信割込処理（１）の流れ）
図５は、図４に示すコンテンツ再生装置１の処理の流れの一例を示すフローチャートである。なお、図５のＳ２０１〜２０６およびＳ２１０〜Ｓ２１２については、図３のＳ１０１〜Ｓ１０６およびＳ１０８〜Ｓ１１０と同様の処理であるので、説明を省略する。
図４に示すように、コンテンツの協調再生中に端末Ａに着信があり、ユーザが当該着信に対し応答した場合（Ｓ２０５でＹＥＳ）、着信割込処理部２２０は再構成後に協調再生する予定のコンテンツが中断可能なコンテンツか否か判定する（Ｓ２０７）。中断可能なコンテンツである場合、着信割込処理部２２０は、当該コンテンツの協調再生を一時停止させる（Ｓ２０８）。一方、中断不可能なコンテンツである場合、着信割込処理部２２０は当該コンテンツの協調再生を継続させ、当該協調再生に係る音声出力をミュートにする（Ｓ２０９）。
【００４４】
（着信割込処理（２）の流れ）
着信割込処理部２２０は、コンテンツが中断可能なコンテンツか否かと、コンテンツの内容と、割込の種類とからどのような着信割込処理を行うか決定してもよい。また、着信割込処理部２２０は、コンテンツを協調再生中のいずれかの装置に着信があった場合、ユーザが当該着信に応答する前に、着信割込処理としてコンテンツの協調再生を一時停止してもよい。以下、図６を用いて着信割込処理の他の例について説明する。図６の（ａ）は、図４に示すコンテンツ再生装置１の処理の他の例を示すフローチャートであり、図６の（ｂ）は図６の（ａ）のフローにおける処理パターンを決定するためのテーブルを示す。なお、図６の（ａ）のＳ３０１〜３０３については、図３のＳ１０１〜Ｓ１０３と同様の処理であるので、説明を省略する。
【００４５】
コンテンツの協調再生中に、協調再生を行っているいずれかの装置に着信があった場合、コンテンツ再生装置の着信割込処理部２２０はコンテンツの協調再生を再構成するとともに（Ｓ３０３）、予め定められた処理パターンに応じて、上記コンテンツが中断可能なコンテンツか否かを判定する。
【００４６】
図６の（ｂ）は、コンテンツの内容および割込の種類の組み合わせに対応する処理パターンを示す表である。処理パターンは図示の通りパターンＡ〜Ｄのいずれかに決定される。そして、着信割込処理部２２０は上記パターンＡ〜Ｄのいずれの処理パターンをとるか、コンテンツの内容と割込の種類とから決定する。なお、図６の（ｂ）の表における「音声要素有無」とは、当該コンテンツにおいて音声出力の有無を示す。また、音声種別は、音声要素を出力するか否かの情報であって、図示の通り「必須（音声出力する）」、「不要（音声出力しない）」、および「ユーザ設定（ユーザ設定に応じて音声出力するか否かを決定する）」のいずれかである。なお、上記ユーザ設定は、コンテンツ再生装置１にて予め設定され記憶装置４０に記憶されていてもよいし、着信割込が発生した際に、着信割込処理部２２０が上記ユーザ設定の選択肢をユーザに提示し、選択させてもよい。
【００４７】
上述したように、中断可能なコンテンツは、例えば記憶装置４０に記憶されているコンテンツや、ストリーミング再生で再生されるコンテンツ等である。一方、中断不可能なコンテンツは例えば、テレビやラジオなどリアルタイムのコンテンツである。また、コンテンツは、内容に応じて音声要素が含まれるものと含まれないもの、ならびに、音声要素が含まれているが、ミュートされてもコンテンツの主たる情報の提示に支障のないものと、支障があるものとがある。例えば音声付き電子書籍などであれば、ミュートされても主たる情報、すなわち文字の提示に支障は無いが、動画であれば支障が有る可能性が高い。
【００４８】
コンテンツが中断可能か否か、音声要素を含むか否か、音声要素を出力するか否かについては、コンテンツデータのファイル拡張子から判断してもよいし、ストリーミング再生するコンテンツの場合は、ミュート時の視聴への影響有無情報を、当該コンテンツが保持されているサーバから取得して判断してもよい。
【００４９】
また、割込みの種類は、上記実施形態で説明した通話の着信や、ユーザによる協調再生の中断であって、音声出力を伴うものなど、音声出力を利用する割込と、電池切れや、情報端末装置が協調再生を行っている他の情報端末装置から物理的に離された場合など、音声出力を利用しない割込とがあるため、図６の（ｂ）のように、割込の種類を判断することにより、不要な着信割込処理（例えば音声出力しない割込に対し、コンテンツの音量を下げるなど）を行わなくて良いという利点が生じる。
【００５０】
このように、着信割込処理部２２０は処理パターンに応じて、協調再生中のコンテンツが中断可能なコンテンツか否かを判定する。そして、着信割込処理部２２０は処理パターン（パターンＡ〜Ｄ）に応じた着信割込処理を行う（Ｓ３０５〜Ｓ３０８）。そして、着信割込が終了すると（着信が止んだ（電話をかけた側が電話を切った）、または通話の後、電話を受けた装置または電話をかけた側が通話を終了させた）、着信割込処理部２２０は割込が終了したことを検知し（Ｓ３０９）、着信割込が終了した装置を再び含めてコンテンツの協調再生を再構成するとともに、コンテンツ再生装置１および各情報端末装置におけるコンテンツの再生音量を、着信前の状態に戻す（Ｓ３１０）。また、処理パターンに応じて、コンテンツの協調再生を中断（一時停止）していた場合は、設定情報記録部４１からコンテンツに係る情報（コンテンツ中の一時停止後の再開位置など）を読み出し、これに従ってコンテンツの協調再生を再開する。また、処理パターンに応じて、コンテンツの協調再生を停止していた場合は、コンテンツを初めから協調再生する（Ｓ３１１）。
【００５１】
（効果）
本実施形態に係るコンテンツ再生装置１によると、着信割込処理部は再生中のコンテンツが中断可能なコンテンツか否かに応じて、着信を確実に報知するためにより適切な処理を行うことができる。また、図６にて説明したように、コンテンツの再生中に着信があった場合、再生しているコンテンツを一時停止する場合、コンテンツの再生に係る音は聞こえなくなり、着信音がより確実に聞こえるようになる。したがって、ユーザは着信音を確実に聞き取ることができる。
【００５２】
〔実施形態３〕
本発明に係るコンテンツ再生装置１の着信割込処理部２２０が行う着信割込処理は、上記各実施形態にて説明したものに限られない。以下、本発明の第３の実施形態として、図７〜図１１を用いて着信割込処理の他の例について説明する。
【００５３】
（一般的な着信割込処理）
図７は、一般的な着信割込処理の概要を示し、（ａ）は着信前、（ｂ）は着信時のコンテンツの表示例を示す図である。なお図７以降の図では、コンテンツ再生装置１である端末Ａと、情報端末装置である端末Ｂ〜Ｄとの計４台のディスプレイ９０（ディスプレイ９０Ａ〜Ｄ）を用いて、図７の（ａ）に示す通り、音声付きの動画（コンテンツ）と、番組情報と、データ放送（天気予報）とをコンテンツ再生装置１および各情報端末装置に振り分け、協調再生する場合を例にとり説明する。
【００５４】
端末Ａ〜Ｄにおけるコンテンツの協調再生中に端末Ａに対し電話がかかってくると、端末Ａの着信検出部２１０は当該着信を検出し、着信割込処理部２２０は端末Ａがコンテンツの協調再生中であるので、端末Ａに着信割込があったと検知する。そして、着信割込処理部２２０は端末Ａに着信画面を表示させるとともに、端末Ａを除いてコンテンツの協調再生を再構成する。つまり、端末Ｂ〜Ｄを用いて協調再生を行うよう再構成する。また、着信割込処理部２２０は、コンテンツを再生する端末である端末（図７の場合は音声出力中の端末Ｄ）のスピーカの音量を下げるまたはミュートさせる（図７の（ｂ））。
【００５５】
このように、動画以外のコンテンツもともに協調再生している場合でも、着信割込処理部２２０は上記各実施形態と同様に、着信割込処理を行うことができる。しかしながら、着信割込があった際に、コンテンツの協調再生を即座に再構成する（すなわち、端末Ａ〜Ｄの画面表示が図７の（ａ）に示すものから（ｂ）に示すものに、即座に切り替わる）と、ユーザのコンテンツの視聴に支障が生じる虞がある。また、複数のユーザでコンテンツを視聴していた場合、画面表示が即座に切替わることで、着信画面を着信があった端末以外の端末のユーザに見られる虞がある。これは、上記各実施形態における懸念点でもある。
【００５６】
そのため、着信割込処理は、着信割込を、コンテンツの視聴に影響が無いような方法でユーザに報知し、その後ユーザが確認（画面表示の切換えを許容）してから、各端末の画面表示を切替えることが望ましい。以下、図８〜図１１を用いて着信割込をユーザにまず報知し、ユーザが画面表示の切替えを許容してから画面表示を切替える（コンテンツの協調再生を再構成する）例について説明する。
【００５７】
（着信割込処理（１）の概要説明）
図８は、本実施形態に係る着信割込処理の一例の概要を示す図である。着信割込処理部２２０は、図８に示すように、着信割込があった場合、かつ、空きエリア（協調再生しているコンテンツの視聴の邪魔にならないエリア）が存在する場合、着信していることを示す着信アイコンＸを、着信があった装置（端末Ａ）のコンテンツ再生画面上に表示することで、ユーザに着信を報知してもよい。これにより、ユーザは着信アイコンの出現から一見して着信があったことを認識することができる。
【００５８】
（着信割込処理（２）の概要説明）
図９は、本実施形態に係る着信割込処理の他の概要を示す図である。着信割込処理部２２０は、図９に示すように、着信アイコンを表示できるような空きエリアが存在しない場合、着信していることを示すポップアップウィンドウＹを、着信があった装置（端末Ａ）のコンテンツ再生画面上で、コンテンツの再生に重ねて表示することで、ユーザに着信を報知してもよい。これにより、ユーザはポップアップウィンドウの出現から一見して着信があったことを認識することができる。
【００５９】
（着信割込処理（３）の概要説明）
図１０は、実施形態３に係る着信割込処理のさらに他の概要を示す図である。着信割込処理部２２０は、図１０に示すように、着信割込があった場合、着信のあった装置（端末Ａ）に設けられた発光ダイオード（ＬＥＤ）Ｚを点灯することでユーザに着信を報知してもよい。また、同図に示すように、着信割込があった場合、着信のあった装置のバイブレーション機能を実行することにより、ユーザに着信を報知してもよい。これにより、ユーザはＬＥＤの点灯により一見して着信があったことを認識することができる。また、ユーザはバイブレーションにより着信があったことを認識することができる。そのため、ユーザはコンテンツ再生装置１または情報端末装置を見ることができない場合でも着信があったことを認識することができる。
【００６０】
（着信割込処理の流れ）
図１１は、本実施形態に係るコンテンツ再生装置１の処理の流れを示すフローチャートである。コンテンツを協調再生中のいずれかの装置に着信があると、着信検出部２１０が当該着信を検知し、着信割込処理部２２０は当該着信が着信割込であるか判断する。着信割込処理部２２０は、着信割込であると判断した場合（着信割込を検知した場合、Ｓ４０１）、上述した図８〜図１０のいずれかの方法で、ユーザに着信割込を報知する（Ｓ４０２）。そして、ユーザに着信割込を受諾（許容）するか否かを判断させる。ユーザは判断結果をタッチパネル等の入力装置を介し、着信があった装置に入力する。ユーザが着信割込を受諾した場合（Ｓ４０３でＹＥＳ）、コンテンツ再生装置１の着信割込処理部２２０は、着信のあった装置に着信画面（着信割込画面）を表示させるとともに（Ｓ４０４）、協調再生中のコンテンツの音量をミュートする（Ｓ４０５）。一方、ユーザが着信割込を受諾しなかった場合（Ｓ４０３でＮＯ）、着信割込処理部２２０はＳ４０４〜Ｓ４０５の処理は行わずに処理を終了する。
【００６１】
（効果）
上記の構成によれば、着信割込があった際に、着信画面を表示して良いかユーザに確認をとるため、ユーザのコンテンツの視聴に支障が生じることを防ぐことができる。また、複数のユーザでコンテンツを視聴していた場合に着信があった場合でも、着信画面を着信があった端末以外の端末のユーザに見られることを防ぐことができる。
【００６２】
〔ソフトウェアによる実現例〕
コンテンツ再生装置１の制御ブロック（特に着信検出部２１０および着信割込処理部２２０）は、集積回路（ＩＣチップ）等に形成された論理回路（ハードウェア）によって実現してもよいし、ＣＰＵ（Central Processing Unit）を用いてソフトウェアによって実現してもよい。
【００６３】
後者の場合、コンテンツ再生装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６４】
〔まとめ〕
本発明の態様１に係るコンテンツ再生装置（コンテンツ再生装置１）は、コンテンツを再生可能な一つ以上の情報端末装置と協調して、上記コンテンツを再生するコンテンツ再生装置であって、自装置および上記一つ以上の情報端末装置のうち、少なくとも一つの装置が電話機能を有する場合に、当該電話機能を有する装置の着信を検出する着信検出部（着信検出部２１０）と、上記一つ以上の情報端末装置と協調してコンテンツを再生しているときに、上記着信検出部により着信が検出されると、当該再生中のコンテンツの再生処理に割り込んで着信していることを報知するための処理を、自装置および上記一つ以上の情報端末装置のうち、少なくとも一つの装置に実行させる着信割込処理部（着信割込処理部２２０）と、を備えていることを特徴としている。
【００６５】
上記の構成によれば、着信割込処理部は、コンテンツを再生可能な一つ以上の情報端末装置と協調して、上記コンテンツを再生する（コンテンツを協調再生する）場合であっても、いずれかの装置に着信があれば、再生中のコンテンツの再生処理に割り込んで、上記着信を報知する。これにより、コンテンツを協調再生する場合であっても、ユーザに着信を確実に認識させることができるため、ユーザは確実に電話に出ることができるという効果を奏する。
【００６６】
本発明の態様２に係るコンテンツ再生装置は、上記態様１において、上記着信割込処理部は、自装置が上記一つ以上の情報端末装置と協調してコンテンツを再生しているときに、上記着信検出部により着信が検出されると、自装置および上記一つ以上の情報端末装置のうち、少なくとも一つの装置において再生中のコンテンツの音量を予め設定した音量以下に下げることを特徴としている。
【００６７】
上記の構成によれば、コンテンツの再生中に着信があった場合、再生しているコンテンツの音量が下げられるため、着信に係る音声、すなわち着信音が聞こえやすくなる。したがって、ユーザは着信音を確実に聞き取ることができる。
【００６８】
本発明の態様３に係るコンテンツ再生装置は、上記態様１において、上記着信割込処理部は、自装置が上記一つ以上の情報端末装置と協調してコンテンツを再生しているときに、上記着信検出部により着信が検出されると、自装置および上記一つ以上の情報端末装置のうち、少なくとも一つの装置において再生中のコンテンツを一時停止することを特徴としている。
【００６９】
上記の構成によれば、コンテンツの再生中に着信があった場合、再生しているコンテンツを一時停止するため、コンテンツ再生に係る音は聞こえなくなり、着信音がより確実に聞こえるようになる。したがって、ユーザは着信音を確実に聞き取ることができる。
【００７０】
本発明の態様４に係るコンテンツ再生装置は、上記態様１において、上記着信割込処理部は、自装置が上記一つ以上の情報端末装置と協調してコンテンツを再生しているときに、上記着信検出部により着信が検出されると、再生中のコンテンツが中断不可のコンテンツであれば、自装置および上記一つ以上の情報端末装置のうち、少なくとも一つの装置において再生中のコンテンツの音量を予め設定した音量以下に下げ、再生中のコンテンツが中断可能なコンテンツであれば、自装置および上記一つ以上の情報端末装置のうち、少なくとも一つの装置において再生中のコンテンツを一時停止することを特徴としている。
【００７１】
上記の構成によれば、着信割込処理部は再生中のコンテンツが中断可能なコンテンツか否かに応じて、着信を確実に報知するためにより適切な処理を行うことができる。
【００７２】
本発明の態様５に係るコンテンツ再生装置は、上記態様１〜４の何れか一態様において、上記着信割込処理部は、自装置が上記一つ以上の情報端末装置と協調してコンテンツを再生しているときに、上記着信検出部により着信が検出されると、上記着信のあった装置において再生中のコンテンツを、上記着信のあった装置以外の残りの装置を用いて再生するコンテンツに再構成することを特徴としている。
【００７３】
上記の構成によれば、着信のあった情報端末装置ではコンテンツを再生しないため、ユーザはいずれの情報端末装置に着信があったのかを容易かつ迅速に見つけることができる。
【００７４】
本発明の態様６に係るコンテンツ再生装置は、上記態様１〜４の何れか一態様において、上記着信割込処理部は、自装置が上記一つ以上の情報端末装置と協調してコンテンツを再生しているときに、上記着信検出部により着信が検出されると、着信していることを示す着信アイコンを、上記着信のあった装置のコンテンツ再生画面上に表示させることを特徴としている。
【００７５】
上記の構成によれば、ユーザは着信アイコンの出現から一見して着信があったことを認識することができる。
【００７６】
本発明の態様７に係るコンテンツ再生装置は、上記態様１〜４の何れか一態様において、上記着信割込処理部は、自装置が上記一つ以上の情報端末装置と協調してコンテンツを再生しているときに、上記着信検出部により着信が検出されると、上記着信のあった装置に設けられたＬＥＤを点灯することを特徴としている。
【００７７】
上記の構成によれば、ユーザはＬＥＤの点灯により一見して着信があったことを認識することができる。
【００７８】
本発明の態様８に係るコンテンツ再生装置は、上記態様１〜４の何れか一態様において、上記着信割込処理部は、自装置が上記一つ以上の情報端末装置と協調してコンテンツを再生しているときに、上記着信検出部により着信が検出されると、上記着信のあった装置のバイブレーション機能を実行することを特徴としている。
【００７９】
上記の構成によれば、ユーザはバイブレーションにより着信があったことを認識することができる。そのため、ユーザは着信のあった装置を見ることができない場合でも着信があったことを認識することができる。
【００８０】
本発明の態様９に係る制御方法は、コンテンツを再生可能な一つ以上の情報端末装置と協調して、上記コンテンツを再生するコンテンツ再生装置（コンテンツ再生装置１）の制御方法であって、コンテンツ再生装置および上記一つ以上の情報端末装置のうち、少なくとも一つの装置が電話機能を有する場合に、当該電話機能を有する装置の着信を検出する着信検出ステップと、上記コンテンツ再生装置と上記一つ以上の情報端末装置とが協調してコンテンツを再生しているときに、上記着信検出ステップにおいて着信が検出されると、当該再生中のコンテンツの再生処理に割り込んで着信していることを報知するための処理を、上記コンテンツ再生装置および上記一つ以上の情報端末装置のうち、少なくとも一つの装置に実行させる着信割込処理ステップと、を含むことを特徴としている。
【００８１】
上記の構成によれば、上記態様１に係るコンテンツ再生装置と同様の効果を奏する。
【００８２】
本発明の各態様に係るコンテンツ再生装置は、コンピュータによって実現してもよく、この場合には、コンピュータを上記コンテンツ再生装置が備える各部（ソフトウェア要素）として動作させることにより上記コンテンツ再生装置をコンピュータにて実現させるコンテンツ再生装置の制御プログラム、およびそれを記録したコンピュータ読み取り可能な記録媒体も、本発明の範疇に入る。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１  コンテンツ再生装置
２００  コンテンツ再生処理部
２１０  着信検出部
２２０  着信割込処理部
【図１】
2017118382.tif 000003
【図２】
2017118382.tif 000004
【図３】
2017118382.tif 000005
【図４】
2017118382.tif 000006
【図５】
2017118382.tif 000007
【図６】
2017118382.tif 000008
【図７】
2017118382.tif 000009
【図８】
2017118382.tif 000010
【図９】
2017118382.tif 000011
【図１０】
2017118382.tif 000012
【図１１】
2017118382.tif 000013